(57)【要約】【課題】作業情報の入力を、場所を選ばずに実施可能とし、一元化した集計結果でもって、管理者が感覚的な判断を行う必要の無い、わかりやすい判断材料を提供して営業支援を行うこと。【解決手段】作業員Ｘや管理者Ｙからなる使用者の利用に供する情報処理端末Ｂとの間で情報の送受信を可能とする、山林業務用の管理サーバＡであって、前記情報処理端末Ｂに対し、作業員の作業情報の入力画面を表示する、入力画面表示手段Ａ１と、入力された作業情報の集計画面を表示する、集計画面表示手段Ａ２と、前記作業情報の集計結果を、表計算データとして出力可能な、出力手段Ａ３と、を少なくとも有する。【選択図】図１
2020135712.tif 000002
【特許請求の範囲】
【請求項１】
作業員や管理者からなる使用者の利用に供する情報処理端末との間で情報の送受信を可能とする、山林業務管理サーバであって、
前記情報処理端末に対し、作業員の作業情報の入力画面を表示する、入力画面表示手段と、
前記情報処理端末に対し、入力された前記作業情報の集計画面を表示する、集計画面表示手段と、
前記作業情報の集計結果を、表計算データとして出力可能な、出力手段と、
を少なくとも有することを特徴とする、
山林業務管理サーバ。
【請求項２】
前記入力画面に、少なくとも、
作業日の日付を入力する、日付入力欄、
業務名を入力する、業務名入力欄、
活動内容の詳細を入力する、活動内容入力欄、
活動時の写真データを入力する、写真入力欄、
作業員毎の作業時間を入力する、作業時間入力欄、および、
出荷した木材の名称および出荷量を入力する、出荷情報入力欄、
が含まれていることを特徴とする、
請求項１に記載の山林業務管理サーバ。
【請求項３】
前記入力画面に、さらに、
作業員毎の作業内容の詳細を入力する詳細入力欄を表示するための、第１のリンクが含まれており、
前記詳細入力欄には、少なくとも、
使用した機械の名称および使用時間を入力する、稼働情報入力欄、および、
使用した消耗品の名称および数量を入力する、消耗品情報入力欄、
が含まれていることを特徴とする、
請求項２に記載の山林業務管理サーバ。
【請求項４】
前記集計画面に、少なくとも、
前記業務名ごとに出来高の一覧を表示する、業務別出来高表示欄と、
が含まれていることを特徴とする、
請求項２または３に記載の山林業務管理サーバ。
【請求項５】
前記集計画面に、さらに、
使用者によって選択された業務名の詳細な集計情報を表示する、詳細集計情報表示画面に遷移するための、第２のリンクが含まれており、
前記詳細集計情報表示画面には、少なくとも、
前記業務名の基本情報を表示する、基本情報表示欄、
前記業務名に関する集計情報から得られる、人件費、機械損料、消耗品、利益を日付毎に示したグラフを表示する、グラフ表示欄、および、
前記業務名に関する集計情報の一覧を表示する、集計情報表示欄、
を含まれていることを特徴とする、
請求項４に記載の山林業務管理サーバ。
【発明の詳細な説明】
【技術分野】
【０００１】
本発明は、林業に従事するユーザの業務内容を日報形式で入力した作業情報に基づいて集計処理を行って業務管理を行うことが可能な山林業務管理サーバに関する。
【背景技術】
【０００２】
これまで、林業業界での業務管理は、作業員が広大な作業現場から会社に戻り、作業状況や日報などをホワイトボードに記入したり、パソコンに入力したりする方法が一般的であった。
しかし、これらの方法は、会社までの長い移動時間やその後の入力作業によって作業員に大きな負担が生じていた。
また、管理者にとっては、リアルタイムで現場の状況を把握できず、作業内容が一元管理もされていないことから、管理者自身の経験や勘に頼った判断でもって作業の指示を出さなければならない、といった問題を抱えていた。
【発明の概要】
【発明が解決しようとする課題】
【０００３】
よって、本願発明は、以下に記載する事項のうち、少なくとも何れか１つの事項を達成することを目的とする。
（１）作業情報の入力を、場所を選ばずに実施可能とすること。
（２）作業情報の集計を一元化すること。
（３）管理者が感覚的な判断を行う必要の無い、わかりやすい判断材料を提供して営業支援を行うこと。
【課題を解決するための手段】
【０００４】
上記課題を解決すべくなされた本願の第１発明は、作業員や管理者からなる使用者の利用に供する情報処理端末との間で情報の送受信を可能とする、山林業務管理サーバであって、前記情報処理端末に対し、作業員の作業情報の入力画面を表示する、入力画面表示手段と、前記情報処理端末に対し、入力された前記作業情報の集計画面を表示する、集計画面表示手段と、前記作業情報の集計結果を、表計算データとして出力可能な、出力手段と、を少なくとも有することを特徴とするものである。
また、本願の第２発明は、前記第１発明において、前記入力画面に、少なくとも、作業日の日付を入力する、日付入力欄、業務名を入力する、業務名入力欄、活動内容の詳細を入力する、活動内容入力欄、活動時の写真データを入力する、写真入力欄、作業員毎の作業時間を入力する、作業時間入力欄、および、出荷した木材の名称および出荷量を入力する、出荷情報入力欄、が含まれていることを特徴とするものである。
また、本願の第３発明は、前記第２発明において、前記入力画面に、さらに、作業員毎の作業内容の詳細を入力する詳細入力欄を表示するための、第１のリンクが含まれており、前記詳細入力欄には、少なくとも、使用した機械の名称および使用時間を入力する、稼働情報入力欄、および、使用した消耗品の名称および数量を入力する、消耗品情報入力欄、が含まれていることを特徴とするものである。
また、本願の第４発明は、前記第２発明または第３発明において、前記集計画面に、少なくとも、前記業務名ごとに出来高の一覧を表示する、業務別出来高表示欄と、が含まれていることを特徴とするものである。
また、本願の第５発明は、前記第４発明において、前記集計画面に、さらに、使用者によって選択された業務名の詳細な集計情報を表示する、詳細集計情報表示画面に遷移するための、第２のリンクが含まれており、前記詳細集計情報表示画面には、少なくとも、前記業務名の基本情報を表示する、基本情報表示欄、前記業務名に関する集計情報から得られる、人件費、機械損料、消耗品、利益を日付毎に示したグラフを表示する、グラフ表示欄、および、前記業務名に関する集計情報の一覧を表示する、集計情報表示欄、を含まれていることを特徴とするものである。
【発明の効果】
【０００５】
本発明によれば、以下に記載する効果のうち、少なくとも何れか１つの効果を奏する。
（１）作業情報の入力を、場所を選ばずに実施することができる。
（２）作業情報の集計を一元化することができる。
（３）集計結果を表計算データで出力することで、集計結果の汎用性が向上する。
（４）管理者が具体的な集計結果を踏まえた判断・指示出しを行うことができる。
【図面の簡単な説明】
【０００６】
【図１】本発明に係る山林業務管理サーバの概要図。
【図２】入力画面のイメージ図。
【図３】詳細入力欄のイメージ図。
【図４】集計画面のイメージ図。
【図５】詳細集計情報表示画面のイメージ図。
【発明を実施するための形態】
【０００７】
以下、図面を参照しながら、本発明の実施例について説明する。
【実施例】
【０００８】
＜１＞全体構成
図１に示すように、本発明に係る山林業務管理サーバ（以下、単に「管理サーバＡ」ともいう。）は、作業員Ｘや管理者Ｙからなる使用者の利用に供する情報処理端末Ｂとの間で、インターネットＣなどの通信手段を介して、情報の送受信を可能とするものである。
管理サーバＡは、社内に設置するアプリケーションサーバや、クラウドサーバなどを用いることができる。
情報処理端末Ｂは、前記通信手段を介して前記管理サーバＡと接続可能な、ＰＣやタブレット端末、スマートフォンなどの公知の端末を用いることができる。
管理サーバＡは、ハードウェアおよびソフトウェアを適宜組み合わせることによって、前記情報処理端末Ｂのディスプレイに各種画面を表示する機能、サーバ内部で集計処理を行う機能、集計結果をファイルとして出力する機能などを発揮するように動作する。
より具体的に説明すると、本発明に係る管理サーバＡは、入力画面表示手段Ａ１、集計画面表示手段Ａ２、および出力手段Ａ３を少なくとも有する。
以下、各手段の詳細について説明する。
【０００９】
＜２＞入力画面表示手段
入力画面表示手段Ａ１は、使用者が保有する情報処理端末Ｂのディスプレイに、作業員の作業情報の入力画面１０を表示するための手段である。
入力画面１０のイメージを図２に示す。
【００１０】
＜２．１＞入力画面での各入力欄
図２に示す様に入力画面１０には、概要欄として、作業日の日付を入力する日付入力欄１１と、業務名を入力する業務名入力欄１２と、活動内容の詳細を入力する活動内容入力欄１３と、活動時の写真データを入力する写真入力欄１４と、作業員毎の作業時間を入力する、作業時間入力欄１５と、出荷した木材の名称および出荷量を入力する、出荷情報入力欄１６が少なくとも含まれている。
これらの入力欄において、該当する日付に作業情報が既に入力されている場合には、予め各欄に入力済みのデータを反映させておいてもよい。
また、これらの入力欄は、テキストの打ち込みまたはフィールドの選択、チェックボックスへのチェックの有無等によって入力することができるよう構成しているため、作業員Ｘによる情報処理端末Ｂの操作に慣れていない使用者であっても、作業情報の入力作業が簡便である。
【００１１】
＜２．２＞詳細入力欄の内訳
さらに、入力画面１０には、作業員毎の作業内容の詳細を入力する詳細入力欄を新たに表示するための、第１のリンク１７が付されている。
本実施例では、図２に示す「▼詳細情報入力」と記載されているボタンに第１のリンク１７が付されており、このボタンを使用者が選択（クリックやタッチ）することによって、入力画面の中に、詳細入力欄２０が追加で表示されるよう構成している。
詳細入力欄２０のイメージを図３に示す。
詳細入力欄２０には、使用した機械の名称および使用時間を入力する稼働情報入力欄２１と、使用した消耗品の名称および数量を入力する消耗品情報入力欄２２と、作業メモの入力欄などが含まれている。
前記した入力画面と同様、詳細入力欄２０の入力欄は、テキストの打ち込みまたはフィールドの選択、チェックボックスへのチェックの有無等によって入力することができるよう構成しているため、作業情報の入力作業は簡便である。
【００１２】
＜２．３＞入力項目の保存等
また、図２に示す入力画面１０の下部には、「キャンセル」「日報登録」「日報削除」のボタンが表示されており、これらのボタンの選択によって、入力項目のキャンセル、入力項目の保存、日報情報そのものの削除といった処理が、管理サーバＡ側で実施される。
【００１３】
＜３＞集計画面表示手段
集計画面表示手段Ａ２は、各使用者によって入力された作業情報の集計結果を表示してなる集計画面３０を表示するための手段である。
集計画面３０のイメージを図４に示す。
この集計画面３０には、前記作業情報に含まれている業務名ごとに出来高情報の一覧を表示する、業務別出来高表示欄３１を少なくとも含んでいる。
この出来高情報には、開始日、終了日、進捗、利益率、利益額、契約金、木材販売額、収入、外注費、一般管理費、固定費、収入−固定費、人件費、機械損量、消耗品、変動費などが含まれる。
また、集計画面３０で表示されている業務名には、当該業務名の詳細な集計情報を表示する、詳細集計情報表示画面４０に遷移するための、第２のリンク３２が付されている。
この集計画面３０によって、管理者Ｙは複数の現場の出来高を網羅的に把握することができる。
【００１４】
＜４＞詳細集計情報表示画面の内訳
詳細集計情報表示画面４０のイメージを図５に示す。
この詳細集計情報表示画面４０には、第２のリンク３２によって選択された業務名の基本情報（識別コード、業種情報、名称、契約金、開始日、終了日、発注者、概要、外注費、一般管理費、販売予定額、目標利益額、作業道、進捗率、など）を表示する基本情報表示欄４１と、前記業務名に関する集計情報から得られる、人件費、機械損料、消耗品、利益を日付毎に示したグラフを表示するグラフ表示欄４２と、前記業務名に関する集計情報（契約金、木材販売額、収入、外注費、一般管理費、固定費、収入−固定費、人件費、機械損量、消耗品、変動費、利益額、利益率、など）の一覧を表示する、集計情報表示欄４３と、を少なくとも含んでいる。
図５に示す各欄の表示は、簡素化または省略している。
この詳細集計情報表示画面４０によって、管理者Ｙは、個別の現場毎に出来高の詳細を把握することができる。また、グラフによる視覚的な表示によって過去から現在にわたる出来高の推移を容易に把握することができる。
【００１５】
＜５＞出力手段
出力手段Ａ３は、各使用者によって入力された作業情報の集計結果を、表計算データとして出力するための手段である。
出力手段Ａ３は、前記した各画面、その他の管理者画面など、任意の画面に設置しているボタンを選択するなどして、集計結果を任意の範囲で表計算データのファイルとして出力し、情報処理端末Ｂで保存可能に構成する。
本発明に係る管理サーバＡで集計した集計結果を、汎用性の高い表計算データとして出力することで、その他の業務システムへのインポートが可能となり、集計結果を種々の用途で使用することができる。
【符号の説明】
【００１６】
Ａ    管理サーバ
Ａ１  入力画面表示手段
１０  入力画面
１１  日付入力欄
１２  業務名入力欄
１３  活動内容入力欄
１４  写真入力欄
１５  作業時間入力欄
１６  出荷情報入力欄
１７  第１のリンク
２０  詳細入力欄
２１  稼働情報入力欄
２２  消耗品情報入力欄
Ａ２  集計画面表示手段
３０  集計画面
３１  業務別出来高表示欄
３２  第２のリンク
４０  詳細集計情報表示画面
４１  基本情報表示欄
４２  グラフ表示欄
４３  集計情報表示欄
Ａ３  出力手段
Ｂ    情報処理端末
Ｃ    インターネット
【図１】
2020135712.tif 000003
【図２】
2020135712.tif 000004
【図３】
2020135712.tif 000005
【図４】
2020135712.tif 000006
【図５】
2020135712.tif 000007